(57)【特許請求の範囲】
【請求項１】
回転式の扉またはその扉受に取り付けられて、前記扉を回動して閉める際に、前記扉と前記扉受との間に隙間形成用の緩衝体を自動的に介在する扉用指詰防止装置において、
前記緩衝体をその自由端側に装着したアームと、
前記扉または前記扉受に取り付けられて、一端壁に開口を設け、前記アームの取付基部の略中間部を回動可能に枢支していると共に、前記取付基部の基端側を上壁側から内部に導入可能なケースと、
前記ケース内に摺動可能に配置されて、前記取付基部の基端側に嵌合していると共に、前記アームの回動と連動して前記開口から出没するラッチ部材と、
前記取付基部と前記ケース側にその対応する各端を係止して、前記アームに対する付勢力を、前記ラッチ部材が前記ケース内に収納されるアーム回動方向と前記開口から突出するアーム回動方向とに切り換え可能な付勢手段とを備え、
前記緩衝体が、前記ラッチ部材を前記ケース内に収納した状態で前記扉と前記扉受との間に介在される状態となることを特徴とする扉用指詰防止装置。
【請求項２】
回転式の扉またはその扉受に取り付けられて、前記扉を回動して閉める際に、前記扉と前記扉受との間に隙間形成用の緩衝体を自動的に介在する扉用指詰防止装置において、
略Ｌ形をなし、Ｌ形の垂直部の自由端側に前記緩衝体を装着しているアームと、
前記扉または前記扉受に取り付けられて、前記アームを形成しているＬ形の水平部を、倒れる状態から起立状態に回動可能に枢支している取付基体と、
前記アームの水平部を前記取付基体側に倒れる方向へ付勢する付勢手段と、
前記アームの水平部を前記付勢手段の付勢力に抗して前記起立した状態に解除可能に係止しておくロック部材とを備え、
前記緩衝体が、前記アームの水平部を前記倒した状態で前記扉と前記扉受との間に介在される状態となることを特徴とする扉用指詰防止装置。
【請求項３】
回転式の扉またはその扉受に取り付けられて、前記扉を回動して閉める際に、前記扉と前記扉受との間に隙間形成用の緩衝体を自動的に介在する扉用指詰防止装置において、
前記緩衝体をその自由端側に装着している第２アームと、
前記第２アームを前後方向へ回動可能に連結していると共に、その取付基部側の外周に歯部を形成している第１アームと、
前記第２アームを前方向へ付勢している付勢手段と、
前記扉または前記扉受に取り付けられて、前記第１アームを上下方向へ回動可能に枢支している取付基体と、
前記取付基体に取り付けられて、前記第１アームの歯部と噛み合うピニオン付きのダンパーとを備え、
前記緩衝体が、前記第２アームの前方向へ回動された状態で前記扉と前記扉受との間に介在される状態となることを特徴とする扉用指詰防止装置。
【発明の詳細な説明】
【０００１】
【発明の属する技術分野】
本発明は、回動式ドアに適用されて子供等が不用意に手や指を挟まないようにする扉用指詰防止装置に関するものである。
【０００２】
【従来の技術】
この種の指詰防止装置は、実公昭６０−３６６９０号公報などで知られており、扉と扉受けとの間に隙間形成用の緩衝体を介在させることにより、扉を不用意に閉めた際にも手や指を挟み込むことがないようにするものである。
【０００３】
図２３（ａ），（ｂ）は前記公報記載の装置を示し、ドアノブａの回動に連動して接点が閉じるスイッチｂと、スイッチｂの接点が閉じたとき摺動芯ｃが吸引されるようにした電磁石ｄとを扉ｅに設けると共に、摺動芯ｃの先端側に設けられた緩衝体ｆと、緩衝体ｆと電磁石ｄとの間に設けられて摺動芯ｃが吸引される方向と逆方向に緩衝体ｆを付勢する復帰スプリングｇとを備えた構造である。そして、扉ｅを開くときドアノブａを回すと、それに連動してスイッチｂが入って電磁石２が作動し、緩衝体ｆを復帰スプリングｇの付勢力に抗して引き込ませて、扉ｅの開操作を可能にする。また、扉ｅを開状態にした後にドアノブａから手を放すと、スイッチｂが切れて電磁石２の作動が止まり、緩衝体ｆを復帰スプリングｇの付勢力によって同（ｂ）の如く突出させ、扉ｅと扉受ｈとの間に緩衝体ａに応じて隙間Ｔを確保する。また、緩衝体ｆの突出状態を元の状態にするにはドアノブａを回すこととなる。符号ｊはトランス、符号ｋは整流器である。
【０００４】
【発明が解決しようとする課題】
しかしながら、このような、従来の装置では、扉ｅに対しスイッチｂに関連する部材と電磁石ｄに関連する部材との双方を取り付けなくてはならないことに加え、スイッチｂをドアノブａに連動するよう配置しなければならないことから、取付位置的に規制されると共に、取付作業が容易ではない。また、スイッチｂと電磁石ｄとを接続する配線も必要となり、外観を維持するためには扉ｅ自体を分解しなくてはならず、しかも、電磁石ｄを用いるため複雑な構造となる。
【０００５】
本発明は、上記問題を解消するためになされたものであり、その目的は扉等に簡単に取り付けることができると共に、その場合にドアノブ等と関係なく任意の位置（例えば子供の手が届かない扉の高い位置等）に取り付けることができる扉用指詰防止装置を提供することにある。他の目的は、使い勝手に優れると共に、構成部材が配線やスイッチ等の如く複雑なものを避けて構成簡易に製作可能な扉用指詰防止装置を得ることにある。さらに、他の目的は、以下に説明する内容の中で順次明らかにして行く。
【０００６】
【課題を解決するための手段】
本発明は以上の目的を達成するため次のような技術手段を講じたものである。
第１の発明は、図１から図８に例示される如く、回動式の扉Ａまたはその扉受Ｂに取り付けられて、扉Ａを閉める際に、扉Ａと扉受Ｂとの間に隙間形成用の緩衝体６を自動的に介在する扉用指詰防止装置１において、前記前提要件を具備する扉用指詰防止装置１において、緩衝体６をその自由端側に装着したアーム３と、扉Ａまたは扉受Ｂに取り付けられて、一端壁に開口１３ａを設け、アーム３の取付基部１７の略中間部を回動可能に枢支していると共に、取付基部１７の基端側を上壁８側から内部に導入可能な取付基体であるケース２と、ケース２内に摺動可能に配置されて、取付基部１７の基端側に嵌合していると共に、アーム３の回動と連動して開口１３ａから出没するラッチ部材４と、取付基部１７とケース２側にその対応する各端を係止して、アーム３に対する付勢力を、ラッチ部材４がケース２内に収納されるアーム回動方向と開口１３ａから突出するアーム回動方向とに切り換え可能な付勢手段５とを備え、緩衝体６が、ラッチ部材４をケース２内に収納した状態で扉Ａと扉受Ｂとの間に介在される状態となる構成である。
【０００７】
第２の発明は、図９から図１５に例示される如く、上記前提要件を具備する扉用指詰防止装置２１において、略Ｌ形をなし、Ｌ形の垂直部３３ｂの自由端側に緩衝体３６を装着しているアーム３３と、扉Ａまたは扉受Ｂに取り付けられて、アーム３３を形成しているＬ形の水平部３３ａを、倒れた状態から起立状態に回動可能に枢支している取付基体３２と、アーム３３の水平部３３ａを取付基体３２側に倒れる方向へ付勢する付勢手段３５と、アーム３３の水平部３３ａを付勢手段３５の付勢力に抗して前記起立した状態に解除可能に係止しておくロック部材３８とを備え、緩衝体３６が、アーム３３の水平部３３ａを前記倒した状態で扉Ａと扉受Ｂとの間に介在される状態となる構成である。この第２発明では、アーム３３が、主体となるＬ形の第１アーム３４Ａと、第１アーム３４Ａに長さ調整可能に連結される第２アーム３４Ｂとを有し、この第２アーム３４Ｂに緩衝体３６を取り付けることが扉Ａや扉受Ｂの形状に対し汎用性を向上することができる。
第３の発明は、図１６から図２２に例示される如く、上記前提要件を具備する扉用指詰防止装置６１において、緩衝体６６をその自由端側に装着している第２アーム７３と、第２アーム７３を前後方向へ回動可能に連結していると共に、その取付基部７０側の外周に歯部７０ａを形成している第１アーム６３と、第２アーム７３を前方向へ付勢している付勢手段６５と、扉Ａまたは扉受Ｂに取り付けられて、第１アーム６３を上下方向へ回動可能に枢支している取付基体６２と、取付基体６２に取り付けられて、第１アーム６３の歯部７０ａと噛み合うピニオン６７ａ付きのダンパー６７とを備え、緩衝体６６が、第２アーム７３の前方向へ回動された状態で扉Ａと扉受Ｂとの間に介在される状態となる構成である。
【０００８】
【発明の実施の形態】
以下、本発明の実施の形態について、図１から図８に示す第１形態と、図９から図１５に示す第２形態と、図１６から図２２に示す第３形態とについて説明する。これら３つの形態は、本発明の好適な具体例であるから技術的に好ましい種々の限定が付されているが、本発明の範囲は、以下の説明において特に本発明を限定する旨の記載がない限り、これらの形態に限られるものではない。
【０００９】
（第１形態）図１（ａ），（ｂ）は本発明装置を扉Ａ側に適用した使用状態図、図２は前記装置を構成している主部材を示す概略分解斜視図、図３は前記装置を上から見た図、図４は同装置側面図、図５（ａ），（ｂ）は図３のＡ−Ａ線に沿う断面と非指詰防止状態での断面図、図６は図４のＢ−Ｂ線に沿う断面図、図７は図５の左側から見た図、図８は本発明装置を扉受Ｂ側に適用した使用状態図である。
この指詰防止装置１は、取付基体であるケース２と、ケース２に回動可能に支持されるアーム３と、アーム３の回動に連動して前後に摺動されるラッチ部材４と、アーム３に対する付勢力を２方向に切り換え可能な付勢手段としてのコイルバネ５と、アーム３の自由端に装着される緩衝体６とから構成されており、扉Ａまたは扉受Ｂに対し両面接着テープＣを介して取り付けられる。以下、各部材構成を明らかにした後、使用態様および作動等に言及する。
【００１０】
（構成部材）ケース２，アーム３，ラッチ部材４はそれぞれ樹脂成形体で形成されている。この内、ケース２は、上下壁８，９と、両側壁１０，１１と、２個の窓穴１２ａ付きの後端（右）壁１２および出入り用開口１３ａ付きの前端（左）壁１３とで区画される容器状をなしている。両側壁１０，１１の外面側には、上壁８よりも側へ張り出した支持部１４が一体に突出形成され、そこにアーム用支持穴１４ａを形成している。両支持部１４の上部側には、上端から支持穴１４ａに通じるガイド凹部１４ｂが設けられている。各側壁内面にはラッチガイド用の長溝１５が対向して設けられている。この長溝１５は側壁中間部にあって、前端壁１３から貫通穴８ｂの左右位置側まで達している。また、両側壁１０，１１および上壁８の前端側は、その上側部分が下広がりの傾斜端面２ａに形成されている。上壁８には、アーム３の取付基部側を内部に導入する２個の挿入穴７が設けられている。この挿入穴７はケース前後（左右）中心線に対称に設けられている。上壁８の中央部には矩形貫通穴８ｂが設けられている。下壁９のケース内に位置する部分には、ラッチガイド用の１対の長穴９ａが前後方向に設けられると共に、中央部に小穴９ｂが設けられている。この小穴９ｂは一部が貫通穴８ｂの真下に位置し、穴内壁に一体に突設した係止軸９ｃを有している。
【００１１】
アーム３は、メイン部３ａの前（左）側を下向きに折り曲げた１対の装着片部１６と、メイン部３ａの両側にあって後（右）方へ一体に延びた１対の取付基部１７とを有している。メイン部３ａの後端部つまり両取付基部１７の内側に位置する後端中間位置には矩形の小穴３ｂが設けられている。この小穴３ｂは係止軸９ｃと同様な穴内壁に一体に突設した係止軸３ｃを有している。また、装着片部１６は、メイン部３ａの前端を間に位置した両側に設けられてメイン部３ａよりも多少前側へ張り出し、後述する如くここに取り付けられる緩衝体６によって覆われる。両取付基部１７は平行に設けられており、その各外面の略中間部には支持穴１４ａに嵌合可能な軸部１７ａが設けられると共に、各後端側の対向内面にはラッチ部材４をアーム３の回動に連動して摺動するための軸部１７ｂが設けられている。
【００１２】
ラッチ部材４は、ケース２の内部に摺動自在に配置される大きさであり、前（左）側に設けられた当接部４ａと、当接部４ａから後（右）側部分に設けられて中間切欠部４ｂの両側に位置する１対の長片部１８とからなっている。当接部４ａは上下中間部を突出した山形状に形成されている。当接部４ａおよび各長片部１８の外側面には、ケース２の長溝１５に嵌合可能な比較的長い水平ガイド片部１８ａが突設されている。また、各長片部１８の外側面には、水平ガイド片部１８ａの後（右）端に近い位置にあってアーム３の軸部１７ｂと嵌合可能な上下ガイド溝１８ｂと、水平ガイド片部１８ａの中間よりも上下ガイド溝１８ｂ側の部位にあってケース２の長穴９ａに嵌合可能なガイドリブ１８ｃとがそれぞれ設けられている。上下ガイド溝１８ｂは、その上端開口幅がテーパ部１８ｄにより幅広に形成され、そのテーパ部１８ｄよりも下部が一定の溝幅になっている。ガイドリブ１８ｃは、水平ガイド片部１８ａの下に形成された上下溝部の下部に位置し、長片部１８の下端面から少し突出している。
【００１３】
緩衝体６は、軟質樹脂やラバー等により形成されて適度な弾性を有し、メイン部３ａの前端と両側の装着片部１６に対応する概略コ字形のブロックとなっている。コ字形の両側部６ａには各装着片部１６を差し込み可能な係合溝１９ａが設けられ、コ字形の中間部６ｂにはメイン部３ａの前端を差し込み可能な係合溝１９ｂがそれぞれ連続して設けられている。そして、この緩衝体６は、各係合溝１９ａに対応する装着片部１６を、係合溝１９ｂにメイン部３ａの前端をそれぞれ押し込めることによりアーム３に取り付けられる。なお、この場合、緩衝体６は必要に応じ溝内に接着剤などを介在させることにより所定強度に装着される。
【００１４】
（組立要領）以上の各部材は、組み付けられて一体ものの製品となるが、次にその組み付け手順例を概説する。この構造では、例えば、ケース２に対しラッチ部材４を配置した状態で、緩衝体６付きのアーム３をコイルバネ５と共に組み込む。ラッチ部材４は、ケース２の開口１３ａ側から挿入、つまり各水平ガイド片部１８ａを対応する長溝１５に嵌合した状態でケース２内に押し込む。すると、ラッチ部材４は、ケース２に対し長溝１５に沿って前後（左右）に摺動自在に配置されると共に、各ガイドリブ１８ｃの下端が対応する長穴９ａの前端縁に嵌合してケース２から不用意に抜けでない状態になる。次に、例えば、コイルバネ５を貫通穴８ｂからラッチ部材４の中間切欠部４ｂに入れて、その下端係合部５ａを小穴９ｂ内の係止軸９ｃに掛け止める。すると、コイルバネ５の上端係合部５ｂは中間切欠部４ｂ内にあって上向きに配置される。この状態から、アーム３の両取付基部１７を支持片１４と側壁１０，１１との間に位置させると共に、対応する挿入穴７に差し込む。そして、両軸部１７ａを対応するガイド凹部１４ｂに位置させ取付基部１７を下向きに押すと、各軸部１７ａがガイド凹部１４ｂに沿って移動されて対応する支持穴１４ａに回動自在に係合する。その後、コイルバネ５の上端係合部５ｂを摘んで引っ張りつつ、小穴３ｂの係止軸３ｃに掛け止める。これによって組立が完了する。
【００１５】
（部材同士の作動）以上の組立状態において、アーム３はコイルバネ５の付勢力により軸部１７ａを支点として上壁８側へ（逆時計回りに）回動されて倒れた状態になる。同時に、ラッチ部材４は、軸部１７ｂと上下ガイド溝１８ｂとの嵌合によってケース２の後壁１２側に摺動されケース内に完全に収納された状態になる（以下、この状態を指詰防止状態と略称することもある）。また、ここでのコイルバネ５は、その上下端の係合部５ａ，５ｂがアーム３の回動支点である軸部１７ａよりもアーム３の自由端つまり緩衝体６側に位置しており、図５（ｂ）に示す如くアーム３がコイルバネ５の付勢力に抗して時計回りに回動されて回動支点である軸部１７ａ上（下端係合部５ａと軸部１７ａとを通る線上）に達する間は図５（ａ）の如くアーム３を上壁８側へ倒す方向へ付勢している。
そして、コイルバネ５は、図５（ｂ）に示す如くアーム３が回動されて、回動支点である軸部１７ａ上（下端係合部５ａと軸部１７ａとを通る線上）に達した後は同図の矢印方向つまりアーム３を後壁１２側へ倒す方向へその付勢方向を切り換える。この場合、アーム３は、コイルバネ５の付勢力によって後壁１２側へ回動されるが、途中で取付基部１７が挿入穴７の対応する穴縁部に当たってそれ以上の回動が規制されて、同図の如く起立した状態に保持される。また、アーム３が時計回りに回動されと、軸部１７ｂも同方向へ回動される結果、軸部１７ｂが嵌合している上下ガイド溝１８ｂの下側へ移動しつつラッチ部材４を押してケース２の開口１３ａ側へ摺動する。図１（ｂ）と図５（ｂ）はこの状態を示しており、ラッチ部材４が摺動されて当接部４ａをケース２の開口１３ａから突出している（以下、この状態を非指詰防止状態と略称することもある）。
【００１６】
（使用態様）以下、扉用指詰防止装置の使用例および動作について図１，図８を参照しながら概説する。
ここで、指詰防止装置１は、通常、ケース２の下壁９に両面接着テープＣが予め装着されており、使用者がその接着テープＣの剥離紙を剥して図１（ａ）の如く扉（回転式ドアと同義）Ａの内面に貼着する場合と、図８（ａ）に示す如く扉受（扉受枠と同義）Ｂの外面に貼着する場合と選択できる。なお、扉Ａは、図示を省略しているが扉受Ｂに対し閉位置にロックするロック装置およびドアノブ等を従来と同様に有している。また、扉Ａや扉受Ｂへの取付位置は、緩衝体６が扉Ａと扉受Ｂとにわたって配置されるようにする。高さ的には任意の位置に取り付けることができるが、子供などが届かない高さに取り付けることが好ましい。
【００１７】
（使用時の作動）先ず、扉Ａが図１（ａ）と図８（ａ）の如く完全に閉じられているとする。この状態から扉Ａを開方向へ回動操作する。この過程において、図１（ａ）の場合は、緩衝体６が扉受Ｂに当たるが、更に扉Ａを開方向へ回動すると、アーム３がコイルバネ５の付勢力に抗して起立方向へ少し回動し（同図のｄ1）つつ扉受Ｂを通過する。完全に通過することにより、緩衝体６の当接状態がなくなって、アーム３はコイルバネ５の付勢力によって元の指詰防止状態つまりケース２の上壁８側へ回動される（同図のｄ2）。なお、図８（ａ）の場合は、扉Ａを開方向へ回動操作した際、扉Ａが緩衝体６に当たるが、更に扉Ａを開方向へ回動すると、アーム３が緩衝体６を介してコイルバネ５の付勢力に抗して少し起立方向へ回動する（同図のｄ1）。これによって、扉Ａは緩衝体６を容易に乗り越える。完全に乗り越えると、アーム３はコイルバネ５の付勢力によって元の指詰防止状態に回動される（同図のｄ2）。このように、扉Ａは何れの場合も従来と同様な操作によって開方向へ回動できる。
【００１８】
そして、扉Ａの開放（人が通過できる）状態では、アーム３および緩衝体６が前側に倒れた元の状態になっている。したがって、この開放状態から扉Ａを閉方向へ回動すると、図１（ａ）の場合は、扉Ａが閉じる前に、緩衝体６が扉受Ｂの外面に当たって扉Ａの閉方向への回動を規制し、扉Ａと扉受Ｂとの間に緩衝体６に応じた隙間Ｌ1を確保できる。図８（ａ）の場合は、扉Ａが扉受Ｂに近づくと緩衝体６に当たって扉Ａの閉方向への回動が規制され、扉Ａと扉受Ｂとの間に緩衝体６の大きさに応じた隙間Ｌ1を確保できる。これにより、扉Ａを閉方向へ勢いよく閉めたとしても、子供等の指が扉Ａと扉受Ｂとの間に誤って挟み込まれるという事故を確実に防止できる。
【００１９】
また、扉Ａを正規の閉位置に回動するには、扉Ａの開放状態でアーム３をコイルバネ５の付勢力に抗して起立方向へ回動し、更にコイルバネ５の付勢方向が切り換えられる（バネチャージされる）まで回動してラッチ部材４の山形当接部４ａをケース２の開口１３ａから突出した非指詰防止状態にする。この状態から、扉Ａを従来と同様に閉位置まで回動操作する。すると、図１の場合は、同（ｂ）の如く扉Ａが扉受Ｂに接近し、当接部４ａが扉受Ｂの縁に当たると（図８の場合は同（ｂ）の如く扉Ａが当接部４ａに当たると）、ラッチ部材４が扉受Ｂ側から受ける応力によって（図８の場合はラッチ部材４が扉Ａ側から受ける応力によって）、バネチャージされたコイルバネ５の付勢力を受けているアーム２を時計回り方向へ回動しつつ、ケース２内へ摺動されると共に、扉Ａがラッチ部材４のケース内への摺動を伴って閉位置まで回動される。なお、ラッチ部材４がケース２内へ摺動される過程において、ガイド溝１８ｂに嵌合している軸部１７ｂも後側へ移動しつつ押されて上下ガイド溝１８ｂ内を上側へ動く結果、アーム３はコイルバネ５がバネチャージされる前の状態に戻るため元の図１（ａ）または図８（ａ）の実線で示す状態になる。
【００２０】
以上のような、指詰防止装置１は次のような点で優れている。
▲１▼、装置構成部材はケース２，アーム３，ラッチ部材４，コイルバネ５，緩衝体６の５点と少なく、また従来の如くスイッチや電磁石などを用いる構造に対し装置組立が容易で安価に提供することができる。
▲２▼、使用する際は、扉Ａに限らず、扉受Ｂに取り付けることも可能である。この場合、扉Ａのドアノブ等との関係を要求されないので任意の高さ位置に設置することができることから、設置の容易性に加え、汎用性に優れている。しかも、取付手段としては接着両面テープＣ等を用いることができ、このように両面テープＣを用いた場合は不要となった際の取り外しも簡単に行える。
▲３▼、扉Ａや扉受Ｂに取り付けておくだけで、指詰防止作用が何も操作しなくてもを得られるのでセットし忘れることがなく、また扉Ａを正規の閉位置にする場合にワンタッチで行えることから、操作的にも極めて便利なものとなる。
▲４▼、なお、大きさの異なる緩衝体６を用意しておくことにより、例えば、隙間Ｌ1の大きさを目的（例えば、指詰防止用隙間，薬品使用時等における室内換気用隙間，ペット動物等を通すための隙間）に応じて変更することができる。この点からも汎用性に優れている。
【００２１】
（第２形態）図９（ａ），（ｂ）は本発明装置を扉Ａ側に適用した使用状態図、図１０は前記装置を構成している主部材を示す概略分解斜視図、図１１は前記装置を上から見た図、図１２は同装置の側面図、図１３は図１２の左側から見た図、図１４は図１２の右側から見た図、図１５はロック部材と付勢手段の組み込み構成を示す図である。
この指詰防止装置３１は、取付基体であるベース３２と、ベース３２に回動可能に支持されるアーム３３（第１アーム３４Ａおよびこれに連結される第２アーム３４Ｂからなる）と、アーム３３を一方向に付勢する付勢手段としてのコイルバネ３５と、アーム３３（第２アーム３４Ｂ）の自由端側にドラム３７を介在して回動自在に取り付けられる緩衝体３６と、アーム３３（第１アーム３４Ａ）の回動を規制するロック部材３８とから構成されており、扉Ａまたは扉受Ｂに対し両面接着テープＣを介して取り付けられる。以下、各部材構成を明らかにした後、使用態様および作動等に言及する。
【００２２】
（構成部材）ベース３２，アーム３３（第１アーム３４Ａと２アーム３４Ｂ），ドラム３７，ロック部材３８はそれぞれ樹脂成形体で形成されている。この内、ベース３２は、取付面となる上壁３９と、両側壁４０，４１と、後（右）壁４２とで区画されるアングル状をなし、上壁３９と対向する下壁と第１アーム３４Ａを内部に入れる前（左）壁とを欠如している。上壁３９の内面には、中間よりも側壁４１側に位置して、コイルバネ３５を両側から位置規制する１対のガイドリブ３９ａと両ガイドリブ３９ａの中間に位置して低い保持用ガイドリブ３９ｂとが並設されている。符号３９ｃは、後壁４２にコイルバネ３５の一端３５ａを掛け止める穴である。両側壁４０，４１の中央部には同軸線上に貫通穴４０ａ，４１ａが設けられている。貫通穴４０ａには水平の係止穴４０ｂが連通して設けられている。
【００２３】
アーム３３は、主体となる第１アーム３４Ａに対し第２アーム３４Ｂを長さ調整可能に連結した構成である。ここで、第１アーム３４Ａは略Ｌ形をなし、Ｌ形の水平部３３ａがベース３２に対し回動可能に支持され、垂直部３３ｂがここに第２アーム３４Ｂを連結する。水平部３３ａは両側壁４３，４４および下壁４５で区画されている。側壁４３には、貫通穴４０ａと対応する位置に設けられた貫通穴４３ａと、貫通穴４３ａと連通したキー穴４３ｂとを有している。このキー穴４３ｂは係止穴４０ｂに対し９０度変位した状態に設けられている。側壁４３の内面には貫通穴４３ａの下側にリブ４３ｃが設けられている。側壁４４には、外面に突設されて貫通穴４１ａに嵌合する軸部４４ａと、内面に設けられて軸部４４ａよりも下壁４５側でかつリブ４３ｃに対向したリブ４４ｂおよびコイルバネ３５の他端３５ｂを掛け止める係止リブ４４ｃとを有している（図１５参照）。リブ４３ｃとリブ４４ｂは後述するロック部材３８の左右方向の動きをガイドするためのリブである。これに対し、垂直部３３ｂは、各側壁４３，４４と連結した両側壁４６，４７と、下壁４５と連結した下壁４８と、前後（左右）壁４９，５０とで水平断面が略枠状をなしている。後壁５０には切欠部５０ａが上下方向に形成されている。両側壁４６，４７の内面には、レール状のガイドリブ４６ａ，４７ａが上下方向に対向して設けられている。前（左）壁４９の上部側には、１対の上下スリット４９ａにより区画された弾性片部５１が設けられている。この弾性片部５１は、内面に形成されて上下複数の水平歯部からなるラッチ５１ａと、上外面に突設された摘み用リブ５１ｂとを有している。
【００２４】
一方、第２アーム３４Ｂは、垂直部３３ｂに差し込まれる連結部５２と、ドラム３７を回動自在に支持する保持部５３と、連結部５２と保持部５３との間に設けられたフランジ部５４とからなっている。また、連結部５２は、水平断面が略Ｅ字形に形成されており、レール状のガイドリブ４６ａ，４７ａに対応するＥ形の各面にそれぞれ設けられて、ガイドリブ４６ａ，４７ａの内面に沿って摺動案内する１対のガイドリブ５２ａと、図１２に示す如く複数（２個）の水平歯部で構成されて、上下任意のラッチ５１ａの水平歯部と係合可能なラッチ５２ｂとを有している。これに対し、垂直部５３は、フランジ部５４に突設された１対の支持片部５３ａを有し、両支持片部５３ａの間にドラム３７を支持可能になっている。
なお、ドラム３７は、芯部３７ａの外周に中間連結部３７ｂを介して筒本体３７ｃを形成した構成であり、芯部３７ａの両側に軸部３７ｄを突出している。そして、このドラム３７は、軟質樹脂やラバー等により形成されて適度な弾性を有した筒状の緩衝体３６を、筒本体３７ｃの外周に必要に応じ接着剤などを介して装着した状態で、各軸部３７ｄを前記支持片部５３ａに設けられた貫通穴５３ｂに挿入することにより、回動自在に支持される。このようなドラム３７と緩衝体３６とは、例えば、両者を軟質材で一体に形成したり、軸部３７ｄのみを硬質材で構成することも可能である。
【００２５】
ロック部材３８は、両側壁４３，４４の間隔よりも短い略Ｌ形をなし、Ｌ形の垂直部５６の内面から水平部５７に平行に突設されてコイルバネ３５を挿入可能な軸部５６ａと、垂直部５６の外面から突設されて貫通穴４３ａおよび貫通穴４０ａを通ってベース３２の側壁４０より突出可能な操作軸部５６ｂと、垂直部５６の上面に設けられた溝内から操作軸部５６ｂの略中間部に至る長さで一体に突設されて、ベース３２の係止穴４０ｂに係脱するキー部５６ｃとを有するブロックとして形成されている。また、垂直部５６には、操作軸部５６ｂの真下に位置してリブ４３ｃを摺動自在に差込み可能なガイド溝５６ｄが設けられている。水平部５７には、軸部５６ａの真下に位置してリブ４４ｂに摺動自在に嵌合するガイドスリット５７ａが設けられている。
【００２６】
（組立要領）次に、以上の各部材の組み付け手順例を概説する。この構造では、ベース３２に対し第１アーム３４Ａをロック部材３８およびコイルバネ３４と共に組み付ける工程と、第１アーム３４Ａに第２アーム３４Ｂを取り付ける工程とに大別されるが、何れを先に行ってもよく、また上述した緩衝体３６の取り付けについても同様である。先ず、第２アーム３４Ｂを第１アーム３４Ａに取り付ける要領は、連結部５２を垂直部３３ｂの開口内に挿入する際、両側のガイドリブ５２ａを上下方向に延びているレール状のガイドリブ４６ａ，４７ａの内側に位置した状態で押し込む。すると、弾性片部５１が外側へ撓みながら連結部５２の差し込みを許容し、押し込み力を開放すると、ラッチ５１ａの歯部に対しラッチ５２ｂの歯部が係合して不動状態に取り付けられる。
【００２７】
第１アーム３４Ａをロック部材３８およびコイルバネ３４と共にベース３２に組み付ける場合は、先ず、コイルバネ３４をロック部材３８の軸部５６ａに挿通した状態で、ガイドスリット５７ａとリブ４４ｂとの嵌合およびガイド溝５６ｄとリブ４３ｃとの嵌合状態を得るようにしてロック部材３８を水平部３３ａ内に位置決め配置する。この状態では、図１５に示す如くロック部材３８がコイルバネ３４の付勢力によって側壁４３側へ移動されて、操作軸部５６ｂが貫通穴４３ａから外側へ突出されると共に、キー部５６ｃもキー穴４３ｂから突出している。その後、例えば、コイルバネ３５の他端３５ｂを係止リブ４４ｃ（と下壁４５との間）に掛け止めてから、ベース３２を組み付ける。この要領は、ロック部材３８をコイルバネ３４の付勢力に抗し側壁４４側へ移動して操作軸部５６ｂとキー部５６ｃを側壁４３内へ押し込めると共に、軸部４４ａと貫通穴４１ａおよび貫通穴４３ａと貫通穴４０ａが対応するよう水平部３３ａに対しベース３２を配置する。そして、軸部４４ａが貫通穴４１ａに嵌合した後、ロック部材３８をコイルバネ３５の付勢方向である側壁４３側へ移動させ、操作軸部５６ｂおよびキー部５６ｃを対応する貫通穴４３ａとキー穴４３ｂに嵌合し、更に操作軸部５６ｂをベース３２の貫通穴４０ａへ挿通する。この状態では、キー部５６ｃが側壁４０の内面に当たり、操作軸部５６ｂが貫通穴４０ａから少しだけ突出している。また、軸部５６ａに挿通されたコイルバネ３５がその両側をガイドリブ３９ａにより、その下部側をガイドリブ３９ｂによってそれぞれ保持ないしは位置規制されている。そして、コイルバネ３５の一端３５ａをその付勢力に抗しつつベース３２の上壁３９に設けられた穴３９に掛け止める。これによって組立が完了する。
【００２８】
（部材同士の作動）以上の組立状態において、アーム３３は、軸部４４ａと操作軸部５６ｂを支点として水平部３３ａがコイルバネ３５の付勢力によりベース３２の上壁３９側へ（図１２の時計回りに）回動されて倒れた状態になっている（以下、この状態を指詰防止状態と略称することもある）。また、コイルバネ３５は、ロック部材３８が操作軸部５６ｂを貫通穴４０ａから突出する方向、つまり側壁４３側へ付勢している。そして、アーム３３は、ロック部材３８を内蔵した状態でコイルバネ３５の付勢力に抗してベース３３に対し起立する方向へ回動されて、キー穴４３ｂ内に位置していたキー部５６ｃの端部がベース３２の係止穴４０ｂに対面したとき、ロック部材３８がコイルバネ３５の付勢力により側壁４３内面に当接するまで移動されると同時に、キー部５６ｃが係止穴４０ｂに係合し、これによってアーム３３の回動が規制される。アーム３３の回動範囲は約９０度に設計されており、アーム３３の起立状態つまりキー部５６ｃが係止穴４０ｂに係合した状態（操作軸部５６ｂが貫通穴４０ａから最も大きく突出した状態となっている）でその起立状態（以下、この状態を非指詰防止状態と略称することもある）を維持する。そして、アーム３３を元の指詰防止状態にする場合は、操作軸部５６を押してロック部材３８をコイルバネ３５の付勢力に抗して側壁４４側へ移動することによりキー部５６ｃと係止穴４０ｂとの係合が解除されると同時に、アーム３３がコイルバネ３５の付勢力によって上壁３９側へ倒れる。このように、ここでのコイルバネ３５は、アーム３３を倒すつまり指詰防止状態の方向へ付勢すると共に、ロック部材３８を側壁４３側つまりキー部５６ｃを係止穴４０ｂに係合する方向へ付勢している。
【００２９】
また、この構造では、例えば、扉Ａや扉受Ｂの形状等どによって第２アーム３４Ｂ（つまりアーム３３の垂直部）の長さを変更したいときに容易に対処することができる。その場合には、図１２に示す如く、ラジオペンチ等を使用して摘み用リブ５１ｂを外側へ引きながら、あるいはリブ５１ｂを指で押し下げることでラッチ５１ａを外方へ位置（移動）させながら、第２アーム３４Ｂを任意の長さだけ引き出し、リブ５１ｂの引き力を開放する。すると、第２アーム３４Ｂはその引き出し位置でラッチ５１ａの歯部にラッチ５２ｂの歯部が係合して長さ調整される。なお、このアーム３３については、第１と第２アーム３４Ａ，３４Ｂとで構成して長さ調整可能にした例を開示したが、第２アーム３４Ｂを第１アーム３４Ａに一体に形成し、簡略化することも可能である。
【００３０】
（使用態様）以下、扉用指詰防止装置の使用例および動作について図９を参照しながら概説する。
ここで、指詰防止装置２１は、通常、ベース３２の上壁３９に両面接着テープＣが予め装着されており、使用者がその接着テープＣの剥離紙を剥して図９（ａ）の如く扉（回動式ドアと同義）Ａの内面に貼着したり、扉受Ｂ側に取り付けることも可能である。なお、扉Ａは、図示を省略しているが扉受（扉受枠と同義）Ｂに対し閉状態にロックするロック装置およびドアノブ等を有している。また、例えば、扉Ａへの取付位置的には、同図の如く指詰防止状態で水平部３３ａと垂直部３３ｂとの内側コーナ部が扉Ａの対応端面に重なるように配置するが、これに限らず、要は非指詰防止状態で緩衝体３６が扉受Ｂ側に位置するよう配置すればよい。高さ的には任意の位置に取り付けることができるが、子供などが届かない高さに取り付けることが好ましい。そして、この取り付けに際しては、アーム３３の垂直部の全寸（垂直部３３ｂに比例する長さ）を、必要に応じ、前述した要領にて第２アーム３４Ｂを介して調整することができる。
【００３１】
（使用時の作動）この取付状態において、例えば、子供等が長期に不在で指詰防止装置２１をある期間、必要としないような場合には非指詰防止状態にしておくと、扉Ａは指詰防止装置２１がない場合と同様に閉位置まで回動される。逆に、子供等が在宅し、あるいは室内の換気の必要性等から指詰防止装置２１を使用する場合は、図９（ａ）の状態から扉Ａを開方向へ回動操作して、同図の想像線に示す矢印方向へアーム３３を回動する。この操作は、上記したように同拡大部に示す如く操作軸部５６ｂをコイルバネ３５の長さ方向の付勢力に抗して押し込めると、アーム３３がコイルバネ３５の回動方向の付勢力によって倒れて指詰防止状態に切り換えられる。そして、この指詰防止状態のセットが完了すると、扉Ａは閉方向へ回動される過程において、図９（ｂ）の如く扉Ａが閉位置に達する前に、緩衝体３６が扉受Ｂの外面に当たって扉Ａの閉方向への回動が規制され、扉Ａと扉受Ｂとの間に緩衝体３６に応じた隙間Ｌ2を確保できる。これにより、扉Ａを閉方向へ勢いよく閉めたとしても、子供等の指が扉Ａと扉受Ｂとの間に誤って挟み込まれるという事故を確実に防止することができる。また、このような隙間Ｌ2は、例えば、ペット用猫や犬等が通れるようにより大きく確保したいこともあるが、その場合は上記したようにアーム３３の垂直部の全寸（垂直部３３ｂに比例する長さ）を、第２アーム３４Ｂを介して長く調整することにより、必要とする大きさに容易に変更することができる。
【００３２】
以上のような、指詰防止装置２１は次のような点で優れている。
▲１▼、装置構成部材は取付基体であるベース３２，アーム３３，ロック部材８，コイルバネ３５，緩衝体３６だけで少なく、また従来の如くスイッチや電磁石などを用いる構造に対し装置組立が容易で安価に提供することができる。
▲２▼、使用する際は、扉Ａに限らず、扉受Ｂにも取り付けることも可能である。また扉Ａのドアノブ等との関係を要求されないので任意の高さ位置に設置することが可能であることから、設置の容易性に加え、汎用性に優れている。しかも、取付手段としては接着両面テープＣ等を用いることができ、このように両面テープＣを用いた場合は不要となった際の取り外しも簡単に行える。
▲３▼、扉Ａや扉受Ｂに取り付けて指詰防止状態にセットしておくだけで、指詰防止作用が何も操作しなくても得られるのでセットし忘れることがなく、また扉Ａを閉位置に回動する場合に非指詰防止状態にワンタッチで切り換えるだけなので操作的にも優れている。
▲４▼、アーム３３を第１，２アーム３４Ａ，３４Ｂにて構成すると共に、アーム３４Ａの垂直部３３ａに対し第２アーム３４Ｂを任意の長さで連結することにより、この指詰防止装置２１は取り付ける扉Ａや扉受Ｂの形状に規制されず、しかも隙間Ｌ2の大きさを目的（例えば、指詰防止用隙間，薬品使用時等における室内換気用隙間，ペット動物等を通すための隙間）に応じて任意の大きさに変更することができる。この点から汎用性に優れている。
【００３３】
（第３形態）図１６（ａ），（ｂ）は本発明装置を扉側に適用した使用状態図で、同（ｂ）は同（ａ）のＡ−Ａ線に対応した断面で示す図、図１７は前記装置を構成している主部材を示す概略分解斜視図、図１８は取付基体構成を示す分解図、図１９（ａ），（ｂ）は第２アームを示し、同（ｂ）は同（ａ）のＡ−Ａ線に沿う断面図、図２０は図１６の実線で示す同装置の状態での正面図、図２１は図２０の右側から見た図、図２１は図２０のＢ−Ｂ線に沿う断面図である。
この指詰防止装置６１は、取付基体６２である蓋６９付きケース６８と、取付基体６２に対し上下方向へ回動可能に支持された第１アーム６３と、第１アーム６３に対し前後方向へ回動可能に連結された第２アーム７３と、第２アーム７３を一方向に付勢する付勢手段としてのコイルバネ６５と、第２アーム７３の自由端に装着された緩衝体６６と、第１アーム６３の回動を制動するダンパー６７とを備え、扉Ａまたは扉受Ｂに対し両面接着テープＣを介して取り付けられる。以下、各構成部材を明らかにした後、使用態様および作動等に言及する。
【００３４】
（構成部材）取付基体６２を構成しているケース６８および蓋６９と、第１アーム６３と、第２アーム７３はそれぞれ樹脂成形体で形成されている。この内、取付基体６２は、使用状態で前側（取り付け側）となる面を全開したケース６８と、前記全開部を閉じる蓋６９とからなり、この蓋６８を介して取り付けられるように設計されている。ケース６８は、図１８と図２２に示す如く上下壁７４，７５と、側壁７６，７７と、後壁７８とで区画される容器状をなし、側壁７７の大半と側壁７７から上壁７４の一部を含むよう欠如して第１アーム６３の上下方向の回動を許容する開口７９を有している。つまり上壁７４の切り欠かれた端面７４ａと、側壁７７の切り欠かれた端面７７ａがストッパー面として作用する。ケース内部には、第１アーム６３を回動可能に支持する筒状軸部７８ａと、ダンパー６７を押さえる１対の保持片部７８ｂとが設けられている。筒状軸部７８ａは後壁７８の内面に突設し開口７９側に位置している。各保持片部７８ｂは、軸部７８ａと側壁７６との間に位置しダンパー６７のケース本体６７ｂを間に配置可能な隙間を保って、後壁７８と上下壁７４，７５の各内面から突設されている。各保持片部７８ｂの先端面には押圧突部７８ｃが設けられている。なお、符号６８ａは取付穴である。これに対し、蓋６９は、取付穴６８ａに対応した取付穴６９ａを有し、ねじ８０を用いてケース６８に取り付けられる。また、蓋６９の内面には、軸部７８ａの先端と係合する筒状受部６９ｂと、ダンパー６７を取り付ける取付溝６９ｃとが設けられている。
【００３５】
そして、ダンパー６７は周知の制動用オイルダンパーなどであり、１対の取付片部６７ｅ付きケース本体６７ｂと、ケース本体６７ｂ内に充填された流体の内部抵抗を利用して軸部等を介して所定の制動された速度に回動するピニオン６７ａとを有している。前記した取付溝６９ｃは、筒状ケース本体６７ｂの下部側と各取付片部６７ｅとを受け入れて係合可能な形状をなし、押し込め操作によりダンパー６７を蓋６９に対し所定強度にて取り付けることができる。なお、取り付けられたダンパー６７は、ケース６８に蓋６９を装着した状態で、ケース本体６７ｂが１対の保持片部７８ｂにより両側から挟み込まれると共に、各取付片部６７ｅが対応する押圧突部７８ｃに押されて抜け止めされる。
【００３６】
第１アーム６３は、軸部７８ａに回動可能に支持されると共に歯部７０ａを外周に有している取付基部７０と、中間部７１と、第２アーム７３を回動可能に支持する保持部７２とからなる。取付基部７０は略二重筒状をなし、軸部７８ａを差し込み可能な内筒７０ｂおよびこの内筒７０ｂの端部側に連結された外筒７０ｃとを有し、前記歯部７０ａが外筒７０ｃの先端側外周にあって第１アーム６３の回動範囲に対応して略９０度の範囲に形成されている。中間部７１は歯部７０ａと反対側の外筒７０ｃから突出された平板状をなしている。保持部７２は、断面略Ｌ形をなし、その垂直部の背面中間部に中間部７１が連結していると共に、幅方向両側に設けられた貫通穴７２ｂ付きの片部７２ａと、Ｌ形の水平部の内面にあって前記垂直部と平行に突設された回動規制リブ７２ｃと、Ｌ形の垂直部を形成している回動規制片７２ｅとを有している。この回動規制リブ７２ｃはＬ形垂直部である回動規制片７２ｅよりも低くなっている。また、一方の片部７２ａの内面には、上端から貫通穴７２ｂに通じ、かつ貫通穴７２ｂに近づくにしたがって次第に浅くなるテーパー溝７２ｄが設けられている。
【００３７】
一方、第２アーム７３は、片側が割ピン８１を介して保持部７２に回動可能に支持される連結部７５と、その先端に緩衝体６６を取り付ける装着部７６と、連結部７５と装着部７６との間を形成して比較的長い中間片部７７とからなり、全寸が第１アーム６３よりも長いと共に、連結部７５と装着部７６が中間片部７７に対しそれぞれ所定の傾きを持って一体化している。ここで、連結部７５の端部側は、図１９にも示す如く幅方向にあって、略半分（右側）だけが筒部７５ａに形成され、残りの部分に筒部７５ａの中心線に沿って設けられて軸用割ピン８１を圧入可能な係止穴７５ｂと、この係止穴７５ｂよりも更に径小で係止穴７５ｂの上側に平行に穿設されてコイルバネ６５の一端６５ａを圧入可能な係止穴７５ｃと、残りの部分（左側）の側端面にあって係止穴７５ｂと同軸上に設けられた軸部７５ｄと、外周に所定の傾きで突設された当接リブ７５ｅとを有している。当接リブ７５ｅは筒部７５ａの下側に位置しかつ幅方向に設けられている。
【００３８】
緩衝体６６は、軟質樹脂やラバー等により形成されて適度な弾性を有したブロックとなっている。また、装着部７６を内部に差し込み可能な係合穴６６ａを有している。そして、この緩衝体６６は、装着部７６を係合穴６６ａに押し込めることにより第２アーム７３に取り付けられる。なお、この場合、緩衝体６６は必要に応じ穴内に接着剤などを介在させることにより所定強度に装着される。
【００３９】
（組立要領）次に、以上の各部材について、その主要部の組み付け手順例を概説する。この構造では、ケース６８と蓋６９との間に第１アーム６３を組み込む工程と、第１アーム６３に第２アーム７３を取り付ける工程とに大別されるが、何れを先に行ってもよく、また上述した緩衝体６６の取り付けについても同様である。先ず、第１アーム６３の組み込みは、軸部７８ａを内筒７０ｂの内部に挿入した状態で、ダンパー６８を予め配置した蓋６９をケース６８に配置し、３個のねじ８０を取付穴６９ａから取付穴６８ａへ螺入操作して蓋６９をケース６８に一体化する。
【００４０】
第１アーム６３と第２アーム７３との連結操作は、例えば、第２アーム７３の連結部７５に対し、係止穴７５ｂに割ピン８１の一端８１ａを圧入して組み付け、その割ピン８１にコイルバネ６５を巻き付けるように挿入すると共に係止穴７５ｃにコイルバネ６５の一端６５ａを圧入して組み付ける。この状態では、割ピン８１の他端８１ｂおよびコイルバネ６５の他端６５ｂが筒部７５ａからそれぞれ突出している。そして、第１アーム６３の保持部７２に対し連結部７５を位置決めし（両貫通穴７２ｂに軸部７５ｃと割ピン８１の他端８１ｂとを対応させる）、例えば、貫通穴７２ｂに他端８１ｂを嵌合した後、軸部７５ｃをテーパー溝７２ｄから下向きに押して他方の貫通穴７２ｂに嵌合する。その後、コイルバネ６５の他端８１ｂをその付勢力に抗しつつ当接リブ７５ｄの内側に掛け止める。これによって組立が完了する。
【００４１】
（部材同士の作動）以上のように、両アーム６３，７３を連結した状態では、第１アーム６３に対し第２アーム７３が軸部７５ｃと他端８１ｂを支点として回動可能に支持され、コイルバネ６５の付勢力によって図２２の状態で蓋６９側へ近づく下（想像線で示す位置つまり図１６（ｂ）の状態で取付面である扉Ａ側）方向へ回動され、かつ当接リブ７５ｅが回動規制リブ７２ｃに当接している。そして、第２アーム７３はコイルバネ６５の付勢力に抗して蓋６９側から離れる方向へ回動されると、連結部７５の端部が回動規制片７２ｅに当接したときにその回動が規制される。図２２の実線はこの状態を示している（以下、この状態を指詰防止の待機状態と略称することもある）。つまり、第２アーム７３は蓋６９とケース６８との間にあって、通常、コイルバネ６５の付勢力により蓋６９側へ回動されている。
【００４２】
また、上記したように、組立完了状態では、ケース６８側の軸部７８ａが蓋６９の受部６９ｂ内に係合しており、第１アーム６３がその軸部７８ａを中心として上下方向へ回動可能に組み込まれている。この第１アーム６３の回動は、中間部７１が上壁７４の端面７４ａと側壁７７の端面７７ａとに当接する範囲θ（この例では５０度）に規制される。そして、この状態では、ピニオン６７ａに歯部７０ａが噛み合っており、第１アーム６３が回動するときはダンパー６７によって制動された速さで回動される。また、扉Ａ等への取付状態では、開口７９を形成している側壁７７の端面７７ａに位置している。つまり、通常時は、図２０の実線に示す如く第１アーム６３が取付基体６２の開口７９から略平行に突出していると共に、自重により下向きに荷重を受けて側壁７７の端面７７ａに当接した状態で保持されている（以下、この状態を指詰防止状態と略称することもある）。そして、第１アーム６３は、逆時計回りに回動操作されると、想像線に示す如く上壁７４の端面７４ａと当接したときにその回動が規制され（以下、この状態を非指詰防止状態と略称することもある）、回動する力を開放すると、再び自重により側壁７７の端面７７ａと当接するまで起立状態から水平状態に回動される。そして、この非指詰防止状態から指詰防止状態に回動される際には、第１アーム６３がダンパー６７によって制動された速度で回動されるのである。
【００４３】
（使用態様）以下、扉用指詰防止装置６１の使用例および動作について図１６を参照しながら概説する。
ここで、指詰防止装置６１は、通常、取付基体６２の蓋６９に両面接着テープＣが予め装着されており、使用者がその接着テープＣの剥離紙を剥して図１６（ａ）の如く上記した指詰防止の待機状態で扉（回動式ドアと同義）Ａの内面に貼着したり、扉受Ｂ側に取り付けることも可能である。なお、扉Ａは、図示を省略しているが扉受（扉受枠と同義）Ｂに対し閉位置にロックするロック装置およびドアノブ等を有している。また、扉Ａへの取付位置的には、同図の如く指詰防止の待機状態で緩衝体６６が扉Ａと扉受Ｂとにかけわたされるよう配置すればよい。高さ的には、任意の位置に取り付けることができるが、子供などが届かない高さに取り付けることが好ましい。
【００４４】
（使用時の作動）先ず、扉Ａが図１６の実線に示す如く完全に閉じられているとする。この状態では、図１６（ｂ）の実線に示す如く第２アーム７３がコイルバネ６５の付勢圧に抗して蓋６９側から離れる方向へ回動され、かつその回動途中で緩衝体６６が扉受Ｂの内面に当接されている。この状態から扉Ａを開方向へ回動操作する。この過程において、緩衝体６６が扉受Ｂに当たっており、扉Ａを開方向へ回動すると、第１アーム６３に対し第２アーム７３がコイルバネ６５の付勢力に抗して蓋６９側から更に離れる方向へ回動し（同図のｄ1）つつ扉受Ｂの内面を通過する。完全に通過することにより、緩衝体６６の当接状態がなくなって、第２アーム７３はコイルバネ６５の付勢力によって指詰防止状態つまり蓋６９側へ回動される（同図のｄ2）。このように、扉Ａは従来と同様な操作によって開方向へ回動される。なお、上記した指詰防止の待機状態は第２アーム７３が扉受Ｂの内面を通過可能になるｄ1の位置にほぼ一致している。
【００４５】
そして、扉Ａの開放（人が通過できる）状態では、第２アーム７３および緩衝体６６が扉Ａ側に倒れた指詰防止状態となっている。したがって、この開放状態から扉Ａを閉方向へ回動すると、扉Ａが閉じる前に、緩衝体６６が扉受Ｂの外面に当たって扉Ａの閉方向への回動を規制し、扉Ａと扉受Ｂとの間に緩衝体６６に応じた隙間Ｌ3を確保できる。これにより、扉Ａを閉方向へ勢いよく閉めたとしても、子供等の指が扉Ａと扉受Ｂとの間に誤って挟み込まれるという事故を確実に防止できる。
【００４６】
また、扉Ａを正規の閉位置にするには、扉Ａの開放状態で第１アーム６３を第２アーム７３と共に図１６（ａ）の矢印（イ）方向、つまりケース６８の開口７９を形成している上壁７４の端部７４ａに当たるまで回動操作して、扉Ａを閉位置に回動する。すると、第１アーム６３は、前記（イ）方向へ回動操作されてその回動操作力を開放すると、第２アーム７３と共に自重により同図の矢印（ロ）方向つまり元の位置まで回動するが、この矢印（ロ）方向への回動は前述したようにダンパー６７によって制動されていることから、ゆっくりと回動する。これによって、第１アーム６３に連結された第２アーム７３および緩衝体６６は扉Ａが閉位置に達するまで扉受Ｂに当たることなく、かつ閉位置になった状態で元の指詰防止の待機状態となる。
【００４７】
以上のような、指詰防止装置６１は次のような点で優れている。
▲１▼、装置構成部材は取付基体６２，第１アーム６３と第２アーム７３，ダンパー６７，コイルバネ６５，割ピン８１等の軸部材，緩衝体６６であって少なく、また従来の如くスイッチや電磁石などを用いる構造に対し装置組立が容易で安価に提供することができる。
▲２▼、使用する際は、扉Ａに限らず、扉受Ｂに取り付けることも可能である。この場合、扉Ａのドアノブ等との関係を要求されないので任意の高さ位置に設置することができることから、設置の容易性に加え、汎用性に優れている。しかも、取付手段としては接着両面テープＣ等を用いることができ、このように両面テープＣを用いた場合は不要となった際の取り外しも簡単に行える。
▲３▼、扉Ａや扉受Ｂに取り付けておくだけで、指詰防止作用が何も操作しなくてもを得られるのでセットし忘れることがなく、また扉Ａを正規の閉位置にする場合にワンタッチで行えることから、操作的にも極めて便利なものとなる。
▲４▼、なお、大きさの異なる緩衝体６６を用意しておくことにより、例えば、隙間Ｌ3の大きさを目的（例えば、指詰防止用隙間，薬品使用時等における室内換気用隙間，ペット動物等を通すための隙間）に応じて変更することができる。この点からも汎用性に優れている。
【００４８】
【発明の効果】
以上説明したとおり、本発明の扉用指詰防止装置にあっては、従来品に対し扉に限らず、扉受側に取り付けることもできることから設置の自由度が得られ、またドアノブ等との関係を要求されず任意の高さ位置に取り付けることができ、しかも取付構造も簡易になって、汎用性に富み、商品価値を向上できる。
また、指詰防止作用的には、アームを付勢手段で付勢することにより、緩衝体が扉と扉受との間に自動的に移動され、セットし忘れることがなく、確実性に優れている。
【図面の簡単な説明】
【図１】第１形態に係る本発明装置を扉側に適用した使用状態図である。
【図２】前記装置を構成している主要部材を示す概略分解斜視図である。
【図３】前記装置を上から見た図である。
【図４】前記装置の側面図である。
【図５】図３のＡ−Ａ線に沿う断面と非指詰防止状態での断面図である。
【図６】図４のＢ−Ｂ線に沿う断面図である。
【図７】図３の左側から見た図である。
【図８】第１形態に係る本発明装置を扉受側に適用した使用状態図である。
【図９】第２形態に係る本発明装置を扉側に適用した使用状態図である。
【図１０】前記装置を構成している主要部材を示す概略分解斜視図である。
【図１１】前記装置を上から見た図である。
【図１２】前記装置の側面図である。
【図１３】図１２の左側から見た図である。
【図１４】図１２の右側から見た図である。
【図１５】前記装置のロック部材と付勢手段との組み込み構成を示す図である。
【図１６】第３形態に係る本発明装置を扉側に適用した使用状態図である。
【図１７】前記装置を構成している主要部材を示す概略分解斜視図である。
【図１８】前記装置の取付基体（ケース）構成を示す分解図である。
【図１９】前記装置の第２アームを示す図である。
【図２０】前記装置の正面図である。
【図２１】図２０の右側から見た図である。
【図２２】図２０のＣ−Ｃ線に沿う断面図である。
【図２３】従来の扉用指詰防止装置例を示す図である。
【符号の説明】
１，２１，６１  指詰防止装置
２，６２  ケース（取付基体）
３，３３，６３  アーム
４  ラッチ部材
５，３５，６５  コイルバネ（付勢手段）
６，３６，６６  緩衝体
８  ケースの上壁
１３ａ  ケースの開口
１７  アームの取付基部
３２  ベース（取付基体）
３３ａ  Ｌ形アームの水平部
３３ｂ  Ｌ形アームの垂直部
３４Ａ，３４Ｂ  第１と第２アーム
３８  ロック部材
６６，７６  第１と第２アーム
６７  ダンパー
６７ａ  ピニオン
６９  蓋（取付基体）
７６ａ  歯部
Ａ  扉
Ｂ  扉受
Ｌ1，Ｌ2，Ｌ3  隙間
Ｃ  両面接着テープ
【図１】
0003741392.tif 000002
【図２】
0003741392.tif 000003
【図３】
0003741392.tif 000004
【図４】
0003741392.tif 000005
【図５】
0003741392.tif 000006
【図６】
0003741392.tif 000007
【図７】
0003741392.tif 000008
【図８】
0003741392.tif 000009
【図９】
0003741392.tif 000010
【図１０】
0003741392.tif 000011
【図１１】
0003741392.tif 000012
【図１２】
0003741392.tif 000013
【図１３】
0003741392.tif 000014
【図１４】
0003741392.tif 000015
【図１５】
0003741392.tif 000016
【図１６】
0003741392.tif 000017
【図１７】
0003741392.tif 000018
【図１８】
0003741392.tif 000019
【図１９】
0003741392.tif 000020
【図２０】
0003741392.tif 000021
【図２１】
0003741392.tif 000022
【図２２】
0003741392.tif 000023
【図２３】
0003741392.tif 000024